(57)【要約】【課題】例えば婚礼儀式時の収納セレモニーの実施によって各種記念品をキャンドル自体内に収納保管し、後日の着火による照明のみならず、着火による費消によって当該記念品をタイムカプセル式に取り出すことができるようにする。【解決手段】上部開口の収納部２を形成したキャンドル本体１と、記念品Ｍを収納密封し、収納部２内に収納させる収納カプセル体１０と、この収納カプセル体１０を収納した収納部２内に充填して凝固させるようにした粉末状、液体状等のキャンドル材１５と、このキャンドル材１５の上部に立脚状に埋入する着火剤１８付の燃焼芯材１７とを備えて成る。収納カプセル体１０は、収納部２底部に当接する弾力性ある素材によって形成した封止材１１によって封止閉塞しておく。粉末状等のキャンドル材１５は燃焼芯材１７の着火によって溶融凝固し、また加熱溶融して液体状となっているキャンドル材１５は冷却によって凝固するようにしてある。【選択図】　　　図１
0003098923.tif 000002
【実用新案登録請求の範囲】
【請求項１】
上部開口の収納部が形成されているキャンドル本体と、記念品が収納密封され、収納部内に収納される収納カプセル体と、この収納カプセル体を収納した収納部内に充填されて凝固されるキャンドル材と、このキャンドル材の上部に立脚状に埋入される燃焼芯材とを備えて成ることを特徴とするタイムカプセル式キャンドル。
【請求項２】
キャンドル材は、粉末状、顆粒状、フレーク状または加熱溶融された液体状である請求項１に記載のタイムカプセル式キャンドル。
【請求項３】
収納カプセル体は、収納部底部に当接する弾力性ある素材によって形成された封止材によって封止閉塞されて成る請求項１または２に記載のタイムカプセル式キャンドル。
【請求項４】
キャンドル材は、燃焼芯材の着火によって溶融凝固されるものとしてある請求項１乃至３のいずれかに記載のタイムカプセル式キャンドル。
【請求項５】
燃焼芯材は着火剤を添着してある請求項１乃至４のいずれかに記載のタイムカプセル式キャンドル。
【考案の詳細な説明】
【０００１】
【考案の属する技術分野】
この考案は各種儀式、例えば婚礼儀式時において、その婚礼時における各種の記念品を将来の一定時期までキャンドル本体内に収納保管しておき、その時期の到来時にはキャンドル本体に着火することで費消したキャンドル本体内から当該記念品を取り出すことができるようにしたり、また例えば金婚式等において着火費消することで予め収納保管しておいた記念品、贈呈品等が取り出せるようにしたりするタイムカプセル式キャンドルに関する。
【０００２】
【従来の技術】
従来から婚礼儀式（結婚式）時には、参列者が着席している各テーブルに予め用意されたキャンドルに新郎・新婦が巡りながら着火するキャンドルサービスによって婚礼儀式が思い出に残る記念となるようなものとして演出している。また比較的に大型のキャンドルを用意しておき、婚礼儀式時、結婚年数の経過時に対応して当該キャンドルに着火するようにしてその思い出となる婚礼者用の婚礼記念品となるようにしている。
【０００３】
ただこうした従来の婚礼儀式時に用意されるキャンドル自体は、着火することで単にその周囲を照らすこととして使用されるにすぎないものである。そのため、そのキャンドル自体の形状、色彩等が特別なものとなるように制作したり（特許文献１）、キャンドル内部に例えば宝石、貴金属類等の不燃物を予め封入しておいたり（特許文献２）、また式場でアクアタワーと称される発光液を使用した照明等が実施されるようにしたり（特許文献３）、発煙作用、各種の作動オブジェによって電気的な装飾をしたり（特許文献４）等をすることで華やかさが演出されるようにもしている。
【０００４】
【特許文献１】特開平１１−２２２２２０号公報
【特許文献２】実開平５−６９１４２号公報
【特許文献３】特開平８−３１５６０１号公報
【特許文献４】特開平８−８４３７８号公報
【０００５】
【考案が解決しようとする課題】
ところが上述したように、例えば比較的に大型にしたり、毎年、着火できるように年数を表示したりしてあっても、また特許文献１にあるように形状を特殊なものとしても、例えば結婚記念日等に着火するのみではキャンドル自体が単に費消されるにすぎないから、着火照明することに基本的には変わらないのである。また、特許文献２にあるようにキャンドル内部に例えば宝石、貴金属類等の不燃物を予め封入しておくことで、それらがキャンドル自体の着火費消によって偶然のように出現する面白味を演出することを意図しても、これらはその不燃物等が既成のものとして予め別に用意されているから、好みによって特に選択できるようにはなっていないのである。更に特許文献３にあるように発光方式を変更しても、照明作用を増大させるにすぎないのであり、特許文献４にあるように特殊な作動、形態を模してもその場の雰囲気を単に豪華にし、面白味を与えるにすぎないのである。
【０００６】
更に一方、記念品等を例えば土中に埋設しておき、一定期間の経過で掘り起こすタイムカプセル方式とすることで婚礼儀式時の各種記念品を収納保管しておくことは可能であっても、これは面倒で大掛かりなものとなるから、簡単に利用できるものではない。
【０００７】
そこでこの考案は叙上のような従来の諸事情に鑑み案出されたもので、例えば婚礼儀式時にキャンドル本体内への各種記念品の収納セレモニーの実施によって当該記念品をタイムカプセル式にキャンドル自体内で収納保管でき、後日の着火による周囲の独特な雰囲気を醸成する照明のみならず、着火によるキャンドル材自体の費消によってキャンドル本体内に収納した各記念品を一定時期、例えば金婚式時等には取り出すことができるようにするのであり、これによって、婚礼儀式の演出の多様性、記念品の一定期間での収納保管、収納保管後の取り出し作業による記念セレモニーの実施、それによって得られる意外性等を楽しむことができる興趣性あるタイムカプセル式キャンドルを提供することを目的とする。
【０００８】
【課題を解決するための手段】
上述した課題を解決するため、この考案にあっては、上部開口の収納部２が形成されているキャンドル本体１と、記念品Ｍが収納密封され、収納部２内に収納される収納カプセル体１０と、この収納カプセル体１０を収納した収納部２内に充填されて凝固されるキャンドル材１５と、このキャンドル材１５の上部に立脚状に埋入される燃焼芯材１７とを備えて成るものであり、またキャンドル材１５は、粉末状、顆粒状、フレーク状または加熱溶融された液体状であるものとして構成することができる。
収納カプセル体１０は、収納部２底部に当接する弾力性ある素材によって形成された封止材１１によって封止閉塞されるものとして構成することができる。
キャンドル材１５は、例えば粉末状、顆粒状、フレーク状等であるとき燃焼芯材１７の着火によって溶融凝固されるものとして構成でき、加熱溶融された液体状・粘液状等であるときには注入充填後の冷却、例えば自然冷却によって凝固されるものとして構成できる。
更に燃焼芯材１７は着火剤１８を添着して構成することができ、この着火剤１８は着火時に大きな炎を発生するようにしてある。
【０００９】
以上のように構成されたこの考案に係るタイムカプセル式キャンドルにあって、収納部２に収納した収納カプセル体１０は充填されて凝固されるキャンドル材１５によってキャンドル本体１と共に一体状に保持され、燃焼芯材１７の着火、キャンドル本体１の費消によって露出されたときに収納カプセル体１０を取り出させ、次いで記念品Ｍを取り出させる。
収納カプセル体１０内に収納した記念品Ｍは、封止材１１の収納カプセル体１０開口部に対する封止閉塞でほぼ密封状に保持され、収納部２内への収納カプセル体１０の収納時のキャンドル材１５の充填でも汚損させない。
弾力的な封止材１１は、収納部２の底部面に当接されることで、収納カプセル体１０が露出されたときには収納カプセル体１０の上方からの押し込みによって収納カプセル体１０自体を上下動させ、収納部２内から収納カプセル体１０を取り出させる。
着火された燃焼芯材１７は、その着火剤１８によって大きな炎を発生させ、例えば婚礼式場での演出効果を増大させ、周囲の粉末状、顆粒状、フレーク状のキャンドル材１５を加熱させることで溶融させ、キャンドル本体１と一体状にさせる。また後日の着火では、キャンドル材１５及びキャンドル本体１を次第に費消させて、収納部２内に収納した収納カプセル体１０を露出させ、キャンドル本体１からの取り出しを可能にさせる。
加熱溶融されたキャンドル材１５の収納部２内への充填は、その充填後で例えば自然冷却されることでキャンドル本体１と一体化させ、収納カプセル体１０をしっかりと保持させる。
【００１０】
【考案の実施の形態】
以下図面を参照してこの考案の一実施の形態を説明すると、図において示される符号１はロウ材にて形成されたキャンドル本体であり、このキャンドル本体１自体はキャンドル本体１の上部面で開口されている収納部２が形成されていることで断面でほぼ凹字状を呈している。キャンドル本体１自体は例えば婚礼儀式時において正面演壇上で後述するような記念品Ｍの収納作業が行われること、各種の記念品Ｍが収納できる容量があること等を考慮して比較的に大型、例えば直径が８ｃｍ、高さが２４ｃｍ程度の上部に至るに従い次第にやや大径となる円柱状を呈しており、また収納部２は例えば内径が５ｃｍ、深さが２０ｃｍ程度のものとされるも、何れも大きさ・容量はこれに限定されるものではない。またキャンドル本体１の表面には、婚礼時等の特別な記念物であることを説明するような婚礼者の氏名、婚礼日時、場所その他が表示されることもある。
【００１１】
このキャンドル本体１とは別に、一定期間の経過後に取り出し可能にして収納部２内に収納保管されるように、各種の記念品Ｍを収納する収納カプセル体１０が用意されている。この収納カプセル体１０は記念品Ｍを収納状態で密封させるものとしてあればよく、例えば図例のように収納カプセル体１０自体は透明な有底筒状のガラス材製・アクリル樹脂材製等とし、その開口部は弾力性ある発泡合成樹脂材であるスポンジ製の例えば高さが２ｃｍ程度である封止材１１がやや強制的に挿入されることで封止閉塞されるものとしてある。収納カプセル体１０自体を透明素材によって形成することで、収納セレモニー時に記念品Ｍの収納保管状態が婚礼会場の参列者によっても確認でき、また封止材１１を収納部２の底部面に当接する弾力性ある素材によって形成することで、後述するように収納カプセル体１０自体の取り出し作業を円滑に行える利点が得られるのである。この収納カプセル体１０自体は、収納部２の内径、深さ等による容量に比し大きくはなく、また収納部２内に挿入したときに収納部２内周面・開口面等との間に若干の間隙が生じるようにしてある（図２乃至図４参照）。尚、この収納カプセル体１０は、場合によっては複数にして収納部２内に収納保持されることもある。
【００１２】
尚、封止材１１自体は内部にバネ材等を内装すること等で収納カプセル体１０の深さ方向に沿う上下方向で伸縮可能なものとなるようにしてもよく、いずれにしても収納カプセル体１０内に収納した記念品Ｍをほぼ密封すると共に、この封止材１１が収納部２底部に当接した状態で、収納カプセル体１０底部側からの押圧力で収納部２底部との間で弾力的に上下動可能なものとさせるようにしておくものである。
【００１３】
また収納部２に収納配置した収納カプセル体１０外周と収納部２内周との間隙内に粉末状、顆粒状、フレーク状、更には加熱溶融された液体状、粘体状のロー材から成るキャンドル材１５が充填されるようにしてあり、例えば図４（Ｂ）に示すように透明なガラス材製のじょうろの如き注入充填器１６によって間隙内に充填される。そして、このキャンドル材１５自体は粉末状、顆粒状、フレーク状等であるときは後述する燃焼芯材１７の着火による加熱溶融で、また加熱溶融された液体状、粘体状等であるときは例えば自然冷却で凝固されるものとしてあり、凝固されることでキャンドル本体１とほぼ一体状になると共に、収納カプセル体１０自体をしっかりと収納部２内で保持するようにしてある。
【００１４】
このキャンドル材１５の充填は、収納部２内に収納した収納カプセル体１０上面を覆う程度とされ、その覆い部分の上面はキャンドル本体１の上端面とほぼ同一か、若干でも盛り上がり状にされるようにしてある。充填前あるいは充填中、充填後のキャンドル材１５の上面には、燃焼芯材１７が立脚状にして埋入されるものとしてある（図２参照）。この燃焼芯材１７は凝固前のキャンドル材１５の上部に差し込まれるから、ある程度の剛性を備え、また上部には着火後で大きな炎を発生するようにハイスターと称される着火剤１８が添着されていて、例えば婚礼会場での収納セレモニー時で大きな着火炎による演出効果が得られるように配慮してある。
【００１５】
尚、図中符号１９は燃焼芯材１７の下端に付設してある座金等の円盤状の芯材ベースであり、キャンドル材１５内への埋入時における燃焼芯材１７の直立状態を保持するものとしてあり、特にキャンドル材１５の充填前に燃焼芯材１７を収納カプセル体１０の上面に配置するときに有効である。
【００１６】
次にこれの使用の一例を説明するに、例えば婚礼会場においてキャンドル本体１、収納カプセル体１０、粉末状等あるいは加熱溶融されて液体状等となっているキャンドル材１５、注入充填器１６、燃焼芯材１７等を予め用意しておき、また記念品Ｍも用意する。この記念品Ｍは、例えば婚礼儀式に出席した参列者等による寄せ書き色紙としたり、席札兼用のメッセージカードとしたり、図示のように例えば１０年後の記念品である指輪としたり、金婚式時に披露され得る記念物としたり、その他の任意のものとしたりできるものである。
【００１７】
そして婚礼儀式中で例えば司会者による口上によって収納セレモニーが実施されるものとし、例えば会場の参列者から集めたメッセージカードを収納カプセル体１０内に収納し、封止材１１によって封止閉塞してほぼ密封した後、封止材１１を収納部２の底部面に当接するように封止材１１側から収納部２内に収納する（図４（Ａ）参照）。次いで新郎・新婦によって注入充填器１６内に収容してある粉末状、液体状等のキャンドル材１５を収納部２内周と収納カプセル体１０外周との間隙内に充填し（図４（Ｂ）参照）、収納カプセル体１０をすっぽりと覆うのである。しかる後キャンドル材１５の上部に燃焼芯材１７を差し込み（図４（Ｃ）、図２参照）、着火剤１８に着火するのである（図４（Ｄ）参照）。その着火によって燃焼芯材１７が燃焼することに伴い粉末状のキャンドル材１５が溶融し、あるいは自然冷却によって凝固してキャンドル本体１と一体状となって収納カプセル体１０をしっかりと収納部２内で固定するのである。このキャンドル材１５による凝固、固定にはほぼ１時間程度が見込まれており、通常の婚礼儀式の開催時間であれば、その終了時にはほぼ凝固されるものである。尚、燃焼芯材１７のキャンドル材１５に対する埋入処理は、キャンドル材１５の充填前に予め燃焼芯材１７を収納カプセル体１０の上部に配置しておいてから、キャンドル材１５を充填してもよいのである。
【００１８】
また記念品Ｍを取り出すには、例えば１０年後、２０年後の一定期間の経過後でキャンドル本体１の燃焼芯材１７に着火することでキャンドル本体１を費消させて収納カプセル体１０の上部を露出させればよく、露出したときには図３に示すように収納カプセル体１０を、封止材１１による弾力によって生じる上方への弾発復原作用を利用して何度か上方から下方に押し込む。すると収納カプセル体１０とこれの周囲のキャンドル材１５との間で隙間が生じることで収納カプセル体１０を取り出し、その後、封止材１１を取り外して記念品Ｍを取り出すのである。尚、もとよりキャンドル本体１に対する着火は毎年行ってもよく、収納カプセル体１０が露出したときに記念品Ｍを取り出すようにしてもよいのである。
【００１９】
あるいは記念のイベント、例えば金婚式時等に予め記念物、贈呈品等を収納カプセル体１０内に収納しておいてキャンドル材１５によってキャンドル本体１の収納部２内に固定保持させておき、燃焼芯材１７に対する着火によってキャンドル本体１、キャンドル材１５等を費消し、収納カプセル体１０を取り出し、記念物等を取り出すようにしてもよいのであり、必ずしも所定年数で記念品Ｍ等を収納保管することで使用するものとは限らないのである。
【００２０】
【考案の効果】
この考案は以上のように構成されているから、例えば婚礼儀式時の収納セレモニーの実施によって各種記念品Ｍをタイムカプセル式にキャンドル本体１自体内に収納保管でき、後日の着火による照明のみならず、着火によるキャンドル本体１自体、キャンドル材１５自体の費消によってキャンドル本体１内に収納した記念品Ｍをタイムカプセル式に取り出すことができるのである。特に例えば金婚式まで保管しておいて、そのときに着火取り出すことで一層の親密性を増すようにさせることも可能である等、家族の各種行事の際に利用することによって家族の絆を一層強くすることもできる。また例えば毎年の結婚記念日毎にセレモニーとして燃焼芯材１７に着火し、少しずつキャンドル材１５、キャンドル本体１を費消していくものとして毎年楽しむこともでき、しかも装飾品として部屋に飾っておいてもよく、また収納した記念品Ｍは、ロウ材であるキャンドル本体１によって周囲環境から遮断されるために湿気による汚損、腐敗等からも十分に保護されるのである。
【００２１】
すなわちこれはこの考案において、上部開口の収納部２を形成したキャンドル本体１と、記念品Ｍを収納密封し、収納部２内に収納させる収納カプセル体１０と、この収納カプセル体１０を収納した収納部２内に充填して凝固させるキャンドル材１５と、このキャンドル材１５の上部に立脚状に埋入する燃焼芯材１７とを備えて成るからであり、これによって、例えば婚礼儀式の演出の多様性、記念品の一定期間での収納保管、収納保管後の取り出し作業による記念セレモニーの実施、それによって得られる意外性等を楽しむ興趣性あるものとすることができるのである。
【００２２】
また収納カプセル体１０の開口部は、弾力性ある素材によって形成された封止材１１によって封止閉塞されるから、収納カプセル体１０自体をしっかりとほぼ密閉状に閉塞し、収納部２内に収納後のキャンドル材１５の充填時において、収納カプセル体１０内部にキャンドル材１５が侵入し、内部に収納した記念品Ｍを汚損させることもないのである。しかもこの封止材１１が収納部２の底部面に当接されるようにして収納カプセル体１０が収納部２内に収納されるものとしてあるから、燃焼芯材１７の着火によってキャンドル材１５、キャンドル本体１が費消して収納カプセル体１０の上部が露出されたときには、収納カプセル体１０自体を下方に押し込むことで生じる封止材１１の弾発作用で収納カプセル体１０を上下動できるものである。そのため、収納カプセル体１０がキャンドル材１５によってしっかりと収納部２内に保持されていても、キャンドル材１５との間に生じる間隙によって収納カプセル体１０を極めて容易に取り出すことができる。
【００２３】
粉末状、顆粒状、フレーク状等のキャンドル材１５は、燃焼芯材１７の着火によって溶融凝固されるから、また加熱溶融された液体状であるときには自然冷却等によって凝固されるから、収納部２内への収納カプセル体１０の挿入セット後におけるキャンドル材１５自体の充填は例えば注入充填器１６によって簡単に行えるのであり、しかも充填後に凝固されることで収納部２内にしっかりと収納カプセル体１０を保持できるのである。
【００２４】
しかも後日の燃焼芯材１７に対する着火によってキャンドル材１５、キャンドル本体１が費消されることで、収納カプセル体１０を露出でき、また燃焼芯材１７に添着してある着火剤１８によって、例えば婚礼式場でキャンドル材１５の充填後における燃焼芯材１７に対する着火では大きな着火炎を発生させるから、演出効果を増大でき、参列者にとって興趣性あるものともできる。
【００２５】
尚、この考案に係るキャンドルは、各種の記念品Ｍを婚礼儀式等における収納セレモニー等によって収納保管し、一定期間の経過後で着火して取り出すことでタイムカプセル式に使用するものとして説明されているが、予め各種の記念物その他を収納しておいて、着火のセレモニー等によって取り出すものとしたり、またそのときに記念物が取出者にとっては不明なものとしておいて、取り出すときの意外性がある面白みを演出するようなセレモニーに利用したり等、その使用例は家族行事に限らず、各種のイベントにも利用できる等、上述したものに限定されないものである。
【図面の簡単な説明】
【図１】この考案の一実施の形態を示す分解斜視図である。
【図２】同じく記念品等を収納したときの断面図である。
【図３】同じく着火し、キャンドル本体、キャンドル材等の費消後で露出した収納カプセル体を取り出すときの断面図である。
【図４】同じく記念品等を収納するときの手順を説明する断面図であり、その（Ａ）はキャンドル本体内に収納カプセル体を挿入配置したとき、（Ｂ）は粉末状等のキャンドル材を充填するとき、（Ｃ）はその充填後に燃焼芯材を埋入したとき、（Ｄ）は燃焼芯材に着火して粉末状等のキャンドル材を凝固させるとき夫々を示すのである。
【符号の説明】
Ｍ…記念品
１…キャンドル本体　　　　　　　　　２…収納部
１０…収納カプセル体　　　　　　　　１１…封止材
１５…キャンドル材　　　　　　　　　１６…注入充填器
１７…燃焼芯材　　　　　　　　　　　１８…着火剤
１９…芯材ベース
【図１】
0003098923.tif 000003
【図２】
0003098923.tif 000004
【図３】
0003098923.tif 000005
【図４】
0003098923.tif 000006